(57)【特許請求の範囲】
【請求項１】
通話及びオーバヘッド情報を有する入力通話用信号を２つの経路に分岐して第１及び第２の分岐した通話用信号を発生するための方向性結合器；及び
上記方向性結合器からの上記第２の分岐した通話用信号をダミー周波数割当て信号に変換するためのキャリヤ変換部；を含み、
上記ダミー周波数割当て信号は周波数変換中継を提供することを特徴とするキャリヤ変換装置。
【請求項２】
上記方向性結合器は、上記入力通話用信号を入力する入力ポート；上記送信キャリヤ変換部の入力端子に連結された第１結合ポート；
上記第１結合ポートから所定の距離だけ離隔設置された第１成端ポート；
上記キャリヤ変換部の出力端子に連結された第２結合ポート；
上記第２結合ポートから所定の距離だけ離隔設置された第２成端ポート；及び
上記入力ポートにより入力された上記通話用信号及び上記キャリヤ変換部からの上記ダミー周波数割当て信号を出力する出力ポート；
を含むことを特徴とする請求項１に記載のキャリヤ変換装置。
【請求項３】
上記キャリヤ変換部は、上記方向性結合器からの上記通話用信号を第１の所定帯域幅だけ帯域通過フィルタリングする第１帯域通過フィルタ；
上記第１帯域通過フィルタの出力信号を増幅するための第１増幅器；
上記第１増幅器の出力信号を中間周波数信号に変換するための中間周波数モジュール；
上記中間周波数モジュールからの上記中間周波数信号を表面弾性波フィルタリングするための第１表面弾性波フィルタ；
上記通話用信号の利得に応じて上記第１表面弾性波フィルタの出力信号の利得を制御するための利得制御部；
上記利得制御部の出力信号を表面弾性波フィルタリングするための第２表弾性面波フィルタ；
上記第２表面弾性波フィルタの出力信号を上記ダミー周波数割当て信号に変換するための周波数変換部；
上記周波数変換部からの上記ダミー周波数割当て信号を第２の所定帯域幅だけ帯域通過フィルタリングする第２帯域通過フィルタ；及び
上記第２帯域通過フィルタの出力信号を増幅するための第２増幅器；を含むことを特徴とする請求項１に記載のキャリヤ変換装置。
【請求項４】
通話及びオーバヘッド情報を有する入力順方向通話用信号を送信し、上記順方向通話用信号に基づいて順方向ダミー周波数割当て信号を発生する送信キャリヤ変換器；及び
移動局からの通話及びオーバヘッド情報を有する逆方向通話用信号を受信及び出力し、上記移動局からの逆方向ダミー周波数割当て信号に基づいて遅延した逆方向通話用信号を発生する受信キャリヤ変換器；を含み、
上記送信キャリヤ変換器は、上記入力順方向通話用信号を２つの経路に分岐して第１及び第２の分岐した順方向通話用信号を発生するための第１方向性結合器；及び上記第１方向性結合器からの上記第２の分岐した順方向通話用信号を上記順方向ダミー周波数割当て信号に変換するための送信キャリヤ変換部；を含むことを特徴とするキャリヤ変換装置。
【請求項５】
通話及びオーバヘッド情報を有する入力順方向通話用信号を送信し、上記順方向通話用信号に基づいて順方向ダミー周波数割当て信号を発生する送信キャリヤ変換器；及び
移動局からの通話及びオーバヘッド情報を有する逆方向通話用信号を受信及び出力し、上記移動局からの逆方向ダミー周波数割当て信号に基づいて遅延した逆方向通話用信号を発生する受信キャリヤ変換器；を含み、
上記送信キャリヤ変換器は、上記入力順方向通話用信号を２つの経路に分岐して第１及び第２の分岐した順方向通話用信号を発生するための第１方向性結合器；及び上記第１方向性結合器からの上記第２の分岐した順方向通話用信号を上記順方向ダミー周波数割当て信号に変換するための送信キャリヤ変換部；を含み、
上記受信キャリヤ変換器は、上記移動局からの上記逆方向通話用信号及びダミー周波数割当て信号を２つの経路に分岐するための第２方向性結合器；及び上記第２方向性結合器からの上記逆方向ダミー周波数割当て信号を上記遅延した逆方向通話用信号に変換するための受信キャリヤ変換部；を含むことを特徴とするキャリヤ変換装置。
【請求項６】
上記順方向ダミー周波数割当て信号は基地局の周波数割当て間のハードハンドオフ及び周波数変換中継を提供し、上記逆方向ダミー周波数割当て信号は基地局の周波数割当て間のハードハンドオフを提供することを特徴とする請求項４または５に記載のキャリヤ変換装置。
【請求項７】
上記第１方向性結合器は、上記入力順方向通話用信号を入力する入力ポート；
上記送信キャリヤ変換部の入力端子に連結された第１結合ポート；
上記第１結合ポートから所定の距離だけ離隔設置された第１成端ポート；
上記送信キャリヤ変換部の出力端子に連結された第２結合ポート；
上記第２結合ポートから所定の距離だけ離隔設置された第２成端ポート；及び上記入力ポートにより入力された上記順方向通話用信号及び上記送信キャリヤ変換部からの上記順方向ダミー周波数割当て信号を出力する出力ポート；
を含むことを特徴とする請求項４から６の何れかに記載のキャリヤ変換装置。
【請求項８】
上記送信キャリヤ変換部は、上記第１方向性結合器からの上記通話用信号を第１の所定帯域幅だけ帯域通過フィルタリングする第１帯域通過フィルタ；
上記第１帯域通過フィルタの出力信号を増幅するための第１増幅器；
上記第１増幅器の出力信号を中間周波数信号に変換するための中間周波数モジュール；
上記中間周波数モジュールからの上記中間周波数信号を表面弾性波フィルタリングする第１表面弾性波フィルタ；
上記通話用信号の利得に応じて上記第１表面弾性波フィルタの出力信号の利得を制御するための利得制御部；
上記利得制御部の出力信号を表面弾性波フィルタリングするための第２表弾性面波フィルタ；
上記第２表面弾性波フィルタの出力信号を上記ダミー周波数割当て信号に変換するための周波数変換部；
上記周波数変換部からの上記ダミー周波数割当て信号を第２の所定帯域幅だけ帯域通過フィルタリングする第２帯域通過フィルタ；及び
上記第２帯域通過フィルタの出力信号を増幅するための第２増幅器；を含むことを特徴とする請求項４から６の何れかに記載のキャリヤ変換装置。
【請求項９】
上記中間周波数モジュールは、システムクロックに基づいて第１発振信号を発生するための第１位相同期ループ；及び
上記第１増幅器の出力信号と上記第１位相同期ループからの上記第１発振信号とを混合して上記中間周波数信号を発生するためのミキサー；を含むことを特徴とする請求項８に記載のキャリヤ変換装置。
【請求項１０】
上記利得制御部は、上記中間周波数モジュールからの上記中間周波数信号を増幅する第３増幅器；
上記通話用信号の利得に応じて上記第３増幅器の出力信号の利得を減衰するための減衰器；及び
上記減衰器の出力信号を増幅するための第４増幅器；を含むことを特徴とする請求項８に記載のキャリヤ変換装置。
【発明の詳細な説明】
【０００１】
【発明の属する技術分野】
本発明は移動電話通信システムに関し、より詳しくは移動電話通信システムにおいて通話及びオーバヘッド情報を有する通話用信号に基づき周波数変換中継又はハードハンドオフ用のダミー周波数割当て信号を発生するためのキャリヤ変換装置に関する。
【０００２】
【従来の技術】
通常、中継器はＣＤＭＡ移動電話システムにおいて円滑な通信環境を構築し、かつそのカバーレージを拡張するために使用されている。このような中継器は、施設投資及び運営に伴うコストの低減及び、設置の便利さによる施設投資費の早期回収などといった長所のため、地上の電波陰影地域（山岳地帯や大型建物内）、電波微弱地域（地下鉄内）あるいはサービス未普及地域などにカバーレージ拡張用として多く使用されている。
【０００３】
一般の中継器は母基地局の微弱な信号を増幅して伝送する方式を採用しているため、基地局と中継器との間の中継周波数とサービス周波数とが同一であることにより、中継器の内部で発振現象が生じる。このような発振現象を防止するためには別途の発振遮断（アイソレーション）手段が必要となるが、これまでは中継器の利得を低く設定してサービスを行っていたため、カバーレージの拡張に限界があった。
【０００４】
このため、最近、前述のようなカバーレージ拡張における限界を改善するために、周波数変換中継器が多く使用されている。このような周波数変換中継器は母基地局から送出されてきたダミー周波数割当て信号を受信して、これを母基地局の通話用周波数に変換し、この周波数を通して電波陰影地域や電波微弱地域にサービスすることによって既存の中継器における発振現象を防止することができる。
１９７３年Norbert E.Tachmanに許与された米国特許第3,750,173号には、単側波帯技術を用いた周波数変換中継器が開示されている。
【０００５】
図１には従来の基地局内の周波数変換装置が示されている。
上記従来の基地局内の周波数変換装置は通話周波数装置Ｓ１、ダミー周波数割当て装置Ｓ２、線形電力増幅器（ＬＰＡ）１２２、及び低雑音増幅器（ＬＮＡ）１２８を含む。通話周波数装置Ｓ１は第１チャンネルカード１０２、第１アナログ変換部（ＡＣＵ）１０４、第１基底帯域合成及び送受信部（ＢＣＲ）１０６を含む。上記第１チャンネルカード１０２は通話及びオーバヘッド情報を有する基底帯域のデジタル通話用信号を発生する。第１アナログ変換部（ＡＣＵ）１０４は上記第１チャンネルカード１０２からの上記基底帯域のデジタル通話用信号をアナログ信号に変換する。第１ＢＣＲ１０６は上記第１ＡＣＵ１０４からの上記基底帯域のアナログ通話用信号を中間周波数信号に変換し、上記中間周波数信号を高周波数通話用信号Ｆ１に変換する。
【０００６】
上記ダミー周波数割当て装置Ｓ２は第２チャンネルカード１１２、第２アナログ変換部（ＡＣＵ）１１４、第２ＢＣＲ１１６を含む。上記第２チャンネルカード１１２はオーバヘッド情報を有する基底帯域のデジタルダミー周波数割当て信号を発生する。第２アナログ変換部（ＡＣＵ）１１４は上記第２チャンネルカード１１２からの上記基底帯域のデジタルダミー周波数割当て信号をアナログ信号に変換する。第２ＢＣＲ１１６は上記第２ＡＣＵ１１４からの上記基底帯域のアナログダミー周波数割当て信号を中間周波数信号に変換し、上記中間周波数信号を順方向高周波数割当て信号Ｆ２に変換する。
【０００７】
線形電力増幅器（ＬＰＡ）１２２は上記第１及び第１ＢＣＲ１０６及び第２ＢＣＲ１１６からの上記順方向通話用信号Ｆ１及び順方向ダミー周波数割当て信号Ｆ２を増幅する。これにより、上記順方向通話用信号Ｆ１及び順方向ダミー周波数割当て信号Ｆ２がアンテナ１２４を通して送信される。
【０００８】
低雑音増幅器（ＬＮＡ）１２８はアンテナ１２６を介して受信された逆方向通話用信号Ｆ１及び逆方向ダミー周波数割当て信号Ｆ２を増幅して第１ＢＣＲ１０６に出力する。
【０００９】
しかし、従来のキャリヤ変換装置においては、通話用信号の情報と同一の情報を有すると同時に通話用周波数帯域とは相異なる周波数帯域を有するダミー周波数割当て信号を提供するために、ダミー周波数割当て信号提供用のチャンネルカード、アナログ変換部、基底帯域合成及び送受信部が更に加えられる。そのため、装備の追加による費用上昇がよぎなくされていた。
【００１０】
【発明が解決しようとする課題】
本発明は上記のような問題点を解決するためのものであり、その目的は移動電話通信システムにおいて通話用信号に基づき周波数変換中継またはハードハンドオフ用のダミー周波数割当て信号を発生することができるキャリヤ変換装置を提供することにある。
【００１１】
【課題を解決するための手段】
上記の目的を達成するために、本発明のキャリヤ変換装置は、通話及びオーバヘッド情報を有する入力順方向通話用信号を送信し、上記順方向通話用信号に基づいて順方向ダミー周波数割当て信号を発生する送信キャリヤ変換器；及び移動局からの通話及びオーバヘッド情報を有する逆方向通話用信号を受信及び出力し、上記移動局からの逆方向ダミー周波数割当て信号に基づいて遅延した逆方向通話用信号を発生する受信キャリヤ変換器；を含み、上記送信キャリヤ変換器は、上記入力順方向通話用信号を２つの経路に分岐して第１及び第２の分岐した順方向通話用信号を発生するための第１方向性結合器；及び上記第１方向性結合器からの上記第２の分岐した順方向通話用信号を上記順方向ダミー周波数割当て信号に変換するための送信キャリヤ変換部；を含むことを特徴とする。
【００１３】
また、上記の目的を達成するために、本発明のキャリア変換装置は、通話及びオーバヘッド情報を有する入力順方向通話用信号を送信し、上記順方向通話用信号に基づいて順方向ダミー周波数割当て信号を発生する送信キャリヤ変換器；及び
移動局からの通話及びオーバヘッド情報を有する逆方向通話用信号を受信及び出力し、上記移動局からの逆方向ダミー周波数割当て信号に基づいて遅延した逆方向通話用信号を発生する受信キャリヤ変換器；を含み、
上記送信キャリヤ変換器は、上記入力順方向通話用信号を２つの経路に分岐して第１及び第２の分岐した順方向通話用信号を発生するための第１方向性結合器；及び上記第１方向性結合器からの上記第２の分岐した順方向通話用信号を上記順方向ダミー周波数割当て信号に変換するための送信キャリヤ変換部；を含み、
上記受信キャリヤ変換器は、上記移動局からの上記逆方向通話用信号及びダミー周波数割当て信号を２つの経路に分岐するための第２方向性結合器；及び上記第２方向性結合器からの上記逆方向ダミー周波数割当て信号を上記遅延した逆方向通話用信号に変換するための受信キャリヤ変換部；を含むことを特徴とする。
【００１４】
また、上記の目的を達成するために、本発明のキャリア変換装置は、通話及びオーバヘッド情報を有する入力通話用信号を２つの経路に分岐して第１及び第２の分岐した通話用信号を発生するための方向性結合器；及び上記方向性結合器からの上記第２の分岐した通話用信号を上記ダミー周波数割当て信号に変換するためのキャリヤ変換部；を含み、上記ダミー周波数割当て信号は周波数変換中継を提供することを特徴とする。
【００１５】
上記方向性結合器は、上記入力通話用信号を入力する入力ポート；上記送信キャリヤ変換部の入力端子に連結された第１結合ポート；上記第１結合ポートから所定の距離だけ離隔設置された第１成端ポート；上記キャリヤ変換部の出力端子に連結された第２結合ポート；上記第２結合ポートから所定の距離だけ離隔設置された第２成端ポート；及び上記入力ポートにより入力された上記通話用信号及び上記キャリヤ変換部からの上記ダミー周波数割当て信号を出力する出力ポート；を含むことが望ましい。
【００１６】
上記キャリヤ変換部は、上記方向性結合器からの上記通話用信号を第１の所定帯域幅だけ帯域通過フィルタリングする第１帯域通過フィルタ；上記第１帯域通過フィルタの出力信号を増幅するための第１増幅器；上記第１増幅器の出力信号を中間周波数信号に変換するための中間周波数モジュール；上記中間周波数モジュールからの上記中間周波数信号を表面弾性波フィルタリングするための第１表面弾性波フィルタ；上記通話用信号の利得に応じて上記第１表面弾性波フィルタの出力信号の利得を制御するための利得制御部；上記利得制御部の出力信号を表面弾性波フィルタリングするための第２表面弾性波フィルタ；上記第２表面弾性波フィルタの出力信号を上記ダミー周波数割当て信号に変換するための周波数変換部；上記周波数変換部からの上記ダミー周波数割当て信号を第２の所定帯域幅だけ帯域通過フィルタリングするための第２帯域通過フィルタ；及び上記第２帯域通過フィルタの出力信号を増幅するための第２増幅器；を含むことがさらに望ましい。
【００１７】
【発明の実施の形態】
以下、添付図面を参照しながら本発明をより詳しく説明する。
図２は本発明の望ましい実施例による周波数変換中継及びハードハンドオフ方法を説明するための図である。
【００１８】
同図において、基地局２０２は通話用信号Ｆ１を発生してアンテナ２０４を介し送信する。上記基地局２０２は内蔵された周波数変換器２０６により発生されたダミー周波数割当て信号Ｆ２をアンテナ２０４を介して送信する。上記ダミー周波数割当て信号Ｆ２は上記通話用信号Ｆ１の情報と同一の情報を有すると同時に、上記通話用信号Ｆ１の周波数帯域とは相異なる周波数帯域を有する。上記ダミー周波数割当て信号Ｆ２は電波陰影地域または電波微弱地域にある移動局を中継する中継キャリヤ信号である。上記ダミー周波数割当て信号Ｆ２はまた、その通話周波数が相異なる基地局間のハードハンドオフを提供する。上記ダミー周波数割当て信号は通話用信号ではなく、基地局の情報を送出することによりハードハンドオフを提供する非通話用信号である。周波数変換中継器２１０は基地局２０２からのダミー周波数割当て信号Ｆ２をドナーアンテナ２１２を介して受信し、通話用信号Ｆ１に変換してカバーレージアンテナ２１４を介して伝送する。
従って、電波陰影地域又は電波微弱地域に位置する移動局２２０は周波数変換中継器２１０を介して基地局２０２にリンクされて円滑な通信が可能となる。
【００１９】
第２サービス地域に位置する移動局２３０が第１サービス地域に移動した場合、移動局２３０は通話用信号Ｆ１をモニタリングしてそのモニタリング情報を基地局２０２に与える。基地局２０２は上記移動局２３０からの上記モニタリング情報に応答して通話情報を上記移動局２３０に送り、第１サービス地域で通話用信号Ｆ１に基づいてダミー周波数割当て信号Ｆ２を発生する。これにより、移動局２３０はダミー周波数割当て信号Ｆ２を用いて基地局２０２にリンクされて円滑な通信を行うことができる。
【００２０】
図３には本発明の第１実施例によるキャリヤ変換装置３０の構成が示されている。
上記キャリヤ変換装置３０は通話用信号発生器３０２、送信キャリヤ変換器３０４、受信キャリヤ変換器３０６、線形電力増幅器（ＬＰＡ）３０８、及び低雑音増幅器（ＬＮＡ）３１４を含む。
【００２１】
上記通話用信号発生器３０２は通話及びオーバヘッド情報を有する順方向通話用信号を発生する。上記通話用信号発生器３０２はチャンネルカード３０２ａと、アナログ変換部（ＡＣＵ）３０２ｂと、基底帯域合成及び送受信部（ＢＣＲ）３０２ｃとを含む。チャンネルカード３０２ａは基底帯域のデジタル通話用信号を発生する。アナログ変換部３０２ｂは上記チャンネルカード３０２ｂからの上記基底帯域のデジタル通話用信号をアナログ信号に変換する。ＢＣＲ３０２ｃは上記アナログ変換部３０２ｂからの上記基底帯域のアナログ通話用信号を中間周波数信号に変換し、順方向高周波数通話用信号に変換する。
【００２２】
上記送信キャリヤ変換器３０４は上記通話用信号発生器３０２からの順方向通話用信号Ｆ１を受信及び出力し、上記順方向通話用信号Ｆ１に基づいて順方向ダミー周波数割当て信号Ｆ２を発生する。本発明の実施例によれば、上記順方向ダミー周波数割当て信号Ｆ２は８８７．０４ＭＨｚ周波数を有することが望ましい。上記順方向ダミー周波数割当て信号Ｆ２は基地局の周波数割当て間のハードハンドオフ及び周波数変換中継を提供する。
【００２３】
上記送信キャリヤ変換器３０４は第１方向性結合器３０４ａ及び送信キャリヤ変換部３０４ｂを含む。第１方向性結合器３０４ａは上記通話用信号発生器３０２からの上記順方向通話用信号Ｆ１を２つの経路に分岐して第１及び第２の分岐した順方向通話用信号を発生する。上記第１方向性結合器３０４ａは入力ポート３０５ａ、第１結合ポート３０５ｂ、第１成端ポート３０５ｃ、第２結合ポート３０５ｄ、第２成端ポート３０５ｅ、及び出力ポート３０５ｆを含む。入力ポート３０５ａは上記通話用信号発生器３０２の出力端子に連結されて上記通話用信号発生器３０２からの上記順方向通話用信号Ｆ１を入力する。第１結合ポート３０５ｂは上記送信キャリヤ変換部３０４ｂの入力端子に連結される。第１成端ポート３０５ｃは上記第１結合ポート３０５ｂから所定の距離だけ離隔設置される。第２結合ポート３０５ｄは上記送信キャリヤ変換部３０４ｂの出力端子に連結される。第２成端ポート３０５ｅは上記第２結合ポート３０５ｄから所定の距離だけ離隔設置される。出力ポート３０５ｆは上記入力ポート３０５ａにより入力された上記順方向通話用信号Ｆ１及び上記送信キャリヤ変換部３０４ｂからの順方向ダミー周波数割当て信号Ｆ２を出力する。
【００２４】
図４には図３の送信キャリヤ変換部３０４ｂの一例が示されている。送信キャリヤ変換部３０４ｂは上記第１方向性結合器３０４ａからの上記第２の分岐した順方向通話用信号Ｆ１を上記順方向ダミー周波数割当て信号Ｆ２に変換する。上記送信キャリヤ変換部３０４ｂは第１帯域通過フィルタ（ＢＰＦ）４０２、第１増幅器４０４、中間周波数（ＩＦ）モジュール４０６、第１表面弾性波（ＳＡＷ）フィルタ４０７、利得制御部４０８、第２表面弾性波（ＳＡＷ）フィルタ４１０、周波数変換部４１２、第２帯域通過フィルタ４１４、及び第２増幅器４１６を含む。第１帯域通過フィルタ（ＢＰＦ）４０２は上記第１方向性結合器３０４ａからの上記通話用信号Ｆ１を第１の所定帯域幅だけ帯域通過フィルタリングする。第１増幅器４０４は上記第１帯域通過フィルタ４０２の出力信号を増幅する。
【００２５】
上記中間周波数（ＩＦ）モジュール４０６は上記第１増幅器４０４の出力信号を中間周波数信号に変換する。上記中間周波数モジュール４０６は第１位相同期ループ（ＰＬＬ）４０６ａ及び第１ミキサー４０６ｂを含む。第１位相同期ループ（ＰＬＬ）４０６ａは地球投影位置決定システム（global positioning system）受信機（図示せず）からのシステムクロックに基づいて第１発振信号を発生する。第１ミキサー４０６ｂは上記第１増幅器４０４の出力信号と、上記第１位相同期ループ４０６ａからの上記第１発振信号とを混合して上記中間周波数信号を発生する。第１表面弾性波フィルタ４０７は上記ＩＦモジュール４０６からの上記中間周波数信号を表面弾性波フィルタリングする。
【００２６】
上記利得制御部４０８は上記通話用信号の利得に応じて上記第１表面弾性波フィルタ４０７の出力信号の利得を制御する。上記利得制御部４０８は第３増幅器４０８ａ、減衰器４０８ｂ、及び第４増幅器４０８ｃを含む。第３増幅器４０８ａは上記中間周波数モジュール４０６からの上記中間周波数信号を増幅する。減衰器４０８ｂは上記通話用信号Ｆ１の利得に応じて上記第３増幅器４０８ａの出力信号の利得を減衰する。第４増幅器４０８ｃは上記減衰器４０８ｂの出力信号を増幅する。
【００２７】
第２表面弾性波フィルタ４１０は上記利得制御部４０８の出力信号を表面弾性波フィルタリングする。周波数変換部４１２は上記第２表面弾性波フィルタ４１０の出力信号を上記ダミー周波数割当て信号Ｆ２に変換する。周波数変換部４１２は第２位相同期ループ（ＰＬＬ）４１２ａ及び第２ミキサー４１２ｂを含む。第２位相同期ループ（ＰＬＬ）４１２ａは地球投影位置決定システム受信機（図示せず）からのシステムクロックに基づいて第２発振信号を発生する。第２ミキサー４１２ｂは上記第２ＳＡＷフィルタ４１０の出力信号と、上記第２位相同期ループ４１２ａからの上記第２発振信号とを混合して上記ダミー周波数割当て信号Ｆ２を発生する。第２帯域通過フィルタ４１４は上記周波数変換部４１２からの上記ダミー周波数割当て信号を第２の所定帯域幅だけ帯域通過フィルタリングする。第２増幅器４１６は上記第２帯域通過フィルタ４１４の出力信号を増幅する。
【００２８】
上記線形電力増幅器３０８は送信キャリヤ変換器３０４からの上記順方向通過用信号Ｆ１及び順方向ダミー周波数割当て信号Ｆ２を増幅してアンテナ３１０を介して送信する。低雑音増幅器３１０は移動局から伝送されてきた通過及びオーバヘッド情報を有する逆方向通話用信号Ｆ１及びダミー周波数割当て信号Ｆ２を低雑音増幅する。
【００２９】
受信キャリヤ変換器３０６は上記低雑音増幅器３１４により低雑音増幅された逆方向通話用信号Ｆ１及びダミー周波数割当て信号Ｆ２を受信し、上記逆方向通話用信号Ｆ１を上記通話用信号発生器３０２へ出力する。受信キャリヤ変換器３０６は上記逆方向ダミー周波数割当て信号Ｆ２に基づいて遅延した逆方向通話用信号Ｆ１′を発生する。上記逆方向ダミー周波数割当て信号Ｆ２は基地局の周波数割当て間のハードハンドオフを提供する。
【００３０】
上記受信キャリヤ変換器３０６は第２方向性結合器３０６ａ及び受信キャリヤ変換部３０６ｂを含む。第２方向性結合器３０６ａは上記移動局からの上記逆方向通話用信号及びダミー周波数割当て信号を２つの経路に分岐する。受信キャリヤ変換部３０６ｂは上記第２方向性結合器３０６ａからの上記逆方向ダミー周波数割当て信号Ｆ２を上記遅延した逆方向通話用信号Ｆ１′に変換する。本発明の実施例によれば、上記逆方向ダミー周波数割当て信号Ｆ２は８８４．５８ＭＨｚ周波数を有することが望ましい。
【００３１】
以下、添付図面を参照して本発明の第１実施例によるキャリヤ変換装置の動作を説明する。
通話用信号発生器３０２のチャンネルカード３０２ａは基底帯域のデジタル通話用信号を発生する。上記チャンネルカード３０２ａからの基底帯域のデジタル通話用信号はアナログ変換部（ＡＣＵ）３０２ｂに提供される。上記アナログ変換部（ＡＣＵ）３０２ｂは上記チャンネルカード３０２ａからの上記基底帯域のデジタル通話用信号をアナログ信号に変換する。上記アナログ変換部（ＡＣＵ）３０２ｂからの上記基底帯域のアナログ通話用信号はＢＣＲ３０２ｃに提供される。上記ＢＣＲ３０２ｃは上記ＡＣＵ３０２ｂからの上記基底帯域のアナログ通話用信号を中間周波数信号に変換し、上記順方向高周波数通話用信号Ｆ１に変換する。ＢＣＲ３０２ｃからの上記順方向高周波数通話用信号Ｆ１は送信キャリヤ変換器３０４に提供される。
【００３２】
上記送信キャリヤ変換器３０４は上記通話用信号発生器３０２からの上記順方向通話用信号Ｆ１に基づいて順方向ダミー周波数割当て信号Ｆ２を発生する。すなわち、送信キャリヤ変換器３０４の第１方向性結合器３０４ａは上記通話用信号発生器３０２からの上記順方向通話用信号Ｆ１を２つの経路に分岐して第１及び第２の分岐した順方向通話用信号を発生する。送信キャリヤ変換部３０４ｂは上記第１方向性結合器３０４ａからの上記第２の分岐した順方向通話用信号Ｆ１を上記順方向ダミー周波数割当て信号Ｆ２に変換する。送信キャリヤ変換部３０４ｂからの上記順方向通話用信号Ｆ１及び順方向ダミー周波数割当て信号Ｆ２は線形電力増幅器３０８に提供される。
【００３３】
図４に示されているように、送信キャリヤ変換部３０４ｂの第１帯域通過フィルタ（ＢＰＦ）４０２は上記第１方向性結合器３０４ａからの上記通話用信号Ｆ１を第１の所定帯域幅だけ帯域通過フィルタリングする。上記第１帯域通過フィルタ４０２の出力信号は第１増幅器４０４に提供される。上記第１増幅器４０４は上記第１帯域通過フィルタ４０２の出力信号を増幅する。上記第１増幅器４０４の出力信号は中間周波数（ＩＦ）モジュール４０６に提供される。中間周波数（ＩＦ）モジュール４０６は上記第１増幅器４０４の出力信号を中間周波数信号に変換する。中間周波数（ＩＦ）モジュール４０６からの中間周波数信号は第１表面弾性波フィルタ４０７に提供される。第１表面弾性波フィルタ４０７は上記中間周波数（ＩＦ）モジュール４０６からの中間周波数信号を表面弾性波フィルタリングする。
【００３４】
上記利得制御部４０８は上記通話用信号の利得に応じて上記第１表面弾性波フィルタ４０７の出力信号の利得を制御する。上記利得制御部４０８の出力信号は第２表面弾性波フィルタ４１０に提供される。第２表面弾性波フィルタ４１０は上記利得制御部４０８の出力信号を表面弾性波フィルタリングする。第２表面弾性波フィルタ４１０の出力信号は周波数変換部４１２に提供される。周波数変換部４１２は上記第２表面弾性波フィルタ４１０の出力信号を上記ダミー周波数割当て信号に変換する。上記周波数変換部４１２からの上記ダミー周波数割当て信号は第２帯域通過フィルタ４１４に提供される。第２帯域通過フィルタ４１４は上記周波数変換部４１２からの上記ダミー周波数割当て信号を第２の所定帯域幅だけ帯域通過フィルタリングする。上記第２帯域通過フィルタの出力信号は第２増幅器４１６に提供される。第２増幅器４１６は上記第２帯域通過フィルタの出力信号を増幅する。第２増幅器の出力信号は線形電力増幅器３０８に提供される。線形電力増幅器３０８は送信キャリヤ変換器３０４からの上記順方向通話用信号Ｆ１及び順方向ダミー周波数割当て信号Ｆ２を増幅してアンテナ３１０を介して送信する。低雑音増幅器３１４は移動局から伝送されてきた逆方向通話用信号Ｆ１及びダミー周波数割当て信号Ｆ２を低雑音増幅する。
【００３５】
受信キャリヤ変換器３０６は上記低雑音増幅器３１４により低雑音増幅された逆方向通話用信号Ｆ１及びダミー周波数割当て信号Ｆ２を受信し、上記逆方向通話用信号Ｆ１を上記通話用信号発生器３０２へ出力する。受信キャリヤ変換器３０６は上記逆方向ダミー周波数割当て信号Ｆ２に基づいて遅延した逆方向通話用信号Ｆ１′を発生する。
【００３６】
図５には本発明の第２実施例によるキャリヤ変換装置の構成が示されている。上記キャリヤ変換装置５０は方向性結合器５０２、及びキャリヤ変換部５０４を含む。上記方向性結合器５０２は入力通話用信号を２つの経路に分岐して第１及び第２の分岐した通話用信号を発生する。上記方向性結合器５０２は入力ポート５０２ａ、第１結合ポート５０２ｂ、第１成端ポート５０２ｃ、第２結合ポート５０２ｄ、第２成端ポート５０２ｅ、及び出力ポート５０２ｆを含む。入力ポート５０２ａは上記通話用信号Ｆ１を入力する。第１結合ポート５０２ｂは上記キャリヤ変換部５０４の入力端子に連結される。第１成端ポート５０２ｃは上記第１結合ポート５０２ｂから所定の距離だけ離隔設置される。第２結合ポート５０２ｄは上記キャリヤ変換部５０４の出力端子に連結される。第２成端ポート５０２ｅは上記第２結合ポート５０２ｄから所定の距離だけ離隔設置される。出力ポート５０２ｆは上記入力ポート５０２ａにより入力された上記通話用信号Ｆ１及び上記キャリヤ変換部５０４からの上記ダミー周波数割当てＦ２を出力する。上記ダミー周波数割当て信号Ｆ２は周波数変換中継を提供する。
【００３７】
図６には図５のキャリヤ変換部５０４の一例が示されている。キャリヤ変換部５０４は上記方向性結合器５０２からの上記第２の分岐した通話用信号Ｆ１を上記ダミー周波数割当て信号Ｆ２に変換する。
【００３８】
上記キャリヤ変換部５０４は第１帯域通過フィルタ（ＢＰＦ）６０２、第１増幅器６０４、中間周波数（ＩＦ）モジュール６０６、第１表面弾性波（ＳＡＷ）フィルタ６０７、利得制御部６０８、第２表面弾性波（ＳＡＷ）フィルタ６１０、周波数変換部６１２、第２帯域通過フィルタ６１４、及び第２増幅器６１６を含む。第１帯域通過フィルタ（ＢＰＦ）６０２は上記方向性結合器５０２からの上記通話用信号Ｆ１を第１の所定帯域幅だけ帯域通過フィルタリングする。第１増幅器６０４は上記第１帯域通過フィルタ６０２の出力信号を増幅する。
【００３９】
上記中間周波数（ＩＦ）モジュール６０６は上記第１増幅器６０４の出力信号を中間周波数信号に変換する。上記中間周波数モジュール６０６は第１位相同期ループ（ＰＬＬ）６０６ａ及び第１ミキサー６０６ｂを含む。第１位相同期ループ（ＰＬＬ）６０６ａは地球投影位置決定システム受信機（図示せず）からのシステムクロックに基づいて第１発振信号を発生する。第１ミキサー６０６ｂは上記第１増幅器６０４の出力信号と、上記第１位相同期ループ６０６ａからの上記第１発振信号とを混合して上記中間周波数信号を発生する。第１表面弾性波フィルタ６０７は上記ＩＦモジュール６０６からの上記中間周波数信号を表面弾性波フィルタリングする。
【００４０】
上記利得制御部６０８は上記通話用信号の利得に応じて上記第１表面弾性波フィルタ６０７の出力信号の利得を制御する。上記利得制御部６０８は第３増幅器６０８ａ、減衰器６０８ｂ、及び第４増幅器６０８ｃを含む。第３増幅器６０８ａは上記中間周波数モジュール６０６からの上記中間周波数信号を増幅する。減衰器６０８ｂは上記通話用信号Ｆ１の利得に応じて上記第３増幅器６０８ａの出力信号の利得を減衰する。第４増幅器６０８ｃは上記減衰器６０８ｂの出力信号を増幅する。
【００４１】
第２表面弾性波フィルタ６１０は上記利得制御部６０８の出力信号を表面弾性波フィルタリングする。周波数変換部６１２は上記第２表面弾性波フィルタ６１０の出力信号を上記ダミー周波数割当て信号Ｆ２に変換する。周波数変換部６１２は第２位相同期ループ（ＰＬＬ）６１２ａ及び第２ミキサー６１２ｂを含む。第２位相同期ループ（ＰＬＬ）６１２ａは地球投影位置決定システム受信機（図示せず）からのシステムクロックに基づいて第２発振信号を発生する。第２ミキサー６１２ｂは上記第２ＳＡＷフィルタ６１０の出力信号と、上記第２位相同期ループ６１２ａからの上記第２発振信号とを混合して上記ダミー周波数割当て信号Ｆ２を発生する。第２帯域通過フィルタ６１４は上記周波数変換部６１２からの上記ダミー周波数割当て信号を第２の所定帯域幅だけ帯域通過フィルタリングする。第２増幅器６１６は上記第２帯域通過フィルタ６１４の出力信号を増幅する。
【００４２】
【発明の効果】
以上説明したように、本発明のキャリヤ変換装置によれば、キャリヤ変換器を用いて周波数変換中継またはハードハンドオフ用ダミー周波数割当て信号を発生するので、周波数変換中継及びハードハンドオフを提供することができる。従って、本発明は従来の周波数変換装置とは異なり、チャンネルカード、アナログ変換部、及び基底帯域合成及び送受信部などのような別途の装備を設置しなくてもダミー周波数割当て信号を送受信することができ、施設投資費が大幅節減できるばかりでなく、サイズが小さくて装備設置及び再配置が容易である。また、周波数を送受信するときに発生する信号損失や雑音発生が低減されて周波数変換中継器の通話範囲が広くなることは勿論、基地局間のハードハンドオフの成功率が９９％以上に高くなる。
【図面の簡単な説明】
【図１】従来の基地局内の周波数変換装置の構成を示したブロック図である。
【図２】本発明の望ましい実施例による周波数変換中継及びハードハンドオフ方法を説明するための図である。
【図３】本発明の第１実施例によるキャリヤ変換装置の構成を示したブロック図である。
【図４】図３の送信キャリヤ変換部の一例を示したブロック図である。
【図５】本発明の第２実施例によるキャリヤ変換装置の構成が示したブロック図である。
【図６】図５のキャリヤ変換部の一例を示したブロック図である。
【符号の説明】
２０２  基地局
２０４  アンテナ
２０６  キャリヤ変換装置
２１０  周波数変換中継器
２３０  移動局
３０２  通話用信号発生器
３０２ａ  チャンネルカード
３０２ｂ  アナログ変換部
３０２ｃ  基底帯域合成及び送受信部
３０４  送信キャリヤ変換器
３０４ａ  第１方向性結合器
３０４ｂ  送信キャリヤ変換部
３０５ａ、５０２ａ  入力ポート
３０５ｂ、５０２ｂ  第１結合ポート
３０５ｃ、５０２ｃ  第１成端ポート
３０５ｄ、５０２ｄ  第２結合ポート
３０５ｅ、５０２ｅ  第２成端ポート
３０５ｆ、５０２ｆ  出力ポート
３０６  受信キャリヤ変換器
３０６ａ  第２方向性結合器
３０６ｂ  受信キャリヤ変換部
３０８  高周波数線形電力増幅器
３１４  低雑音増幅器
４０２、６０２  第１帯域通過フィルタ
４０４、６０４  第１増幅器
４０６、６０６  中間周波数モジュール
４０６ａ、６０６ａ  第１位相同期ループ
４０６ｂ、６０６ｂ  第１ミキサー
４０７、６０７  第１表面弾性波フィルタ
４０８、６０８  利得制御部
４０８ａ、６０８ａ  第３増幅器
４０８ｂ、６０８ｂ  減衰器
４０８ｃ、６０８ｃ  第４増幅器
４１０、６１０  第２表面弾性波フィルタ
４１２、６１２  周波数変換部
４１２ａ、６１２ａ  第２位相同期ループ
４１２ｂ、６１２ｂ  第２ミキサー
４１４、６１４  第２帯域通過フィルタ
４１６、６１６  第２増幅器
５０２  方向性結合器
５０４  キャリヤ変換部
【図１】
0004187079.tif 000002
【図２】
0004187079.tif 000003
【図３】
0004187079.tif 000004
【図４】
0004187079.tif 000005
【図５】
0004187079.tif 000006
【図６】
0004187079.tif 000007